(57)【要約】【課題】組立、調整が容易で機構が安定している光ディスクドライブ装置の提供。【解決手段】本発明の光学ドライブ装置は、そのディスク保持器に緊迫機構が設けられ、ディスク保持器が光ディスクをしっかりと保持し、伝動と補償機構により正確にモータの動力を光ピックアップに伝送でき、伝動機構のぐらつきによる信号読取不良とひずみの問題を発生せず、さらに、水平調整機構によりスピンドルモータ上の光ディスクの光ピックアップに対する角度を調整でき、組立、調整が簡単快速で操作が容易であり量産に適している。【選択図】図２
2009048708.tif 000002
【特許請求の範囲】
【請求項１】
光ディスクドライブ装置において、
光ピックアップであって、駆動装置の駆動を受け、且つスライド自在にガイドシャフト上に設置され、該駆動装置が駆動モータとモータと光ピックアップを連結する伝動及び補償機構を具え、該伝動及び補償機構がスクリュー及びラック機構を具え、そのうち、該スクリューはモータの出力に接続され並びにモータの駆動を受けて回転し、該ラック機構は光ピックアップの一側に固定され、それはラックシート、スクリューに対向し且つスクリューと径方向に対応するラックフレームを具え、該ラックフレームにスクリューと噛み合う軸方向ラックが横設され、且つ該ラックフレーム及びラックが弾性を具えた材料により一体成型された、上記光ピックアップと、
スピンドルモータであって、光ディスクを駆動する動力源とされ、該スピンドルモータが固定板を具備する、上記スピンドルモータと、
シャーシであって、前述の光ピックアップ、スピンドルモータ及びその装置が取付られ、且つ該シャーシはレバー上に取付られる、上記シャーシと、
水平調整機構であって、前述のシャーシと固定板の間に設置され、スピンドルモータ上の光ディスクの光ピックアップに対する角度を調整する、上記水平調整機構と、
トレイ装置であって、トレイと、該トレイを駆動して移動させる積載モータと、トレイと積載モータを連結する伝動機構を包含し、該トレイがモータの駆動を受けて積載機構の内外で移動する、上記トレイ装置と、
光ディスク保持器であって、スピンドルモータに対応し保持器シート上に設置され、並びに保持器シートを利用して積載機構に固定され、該光ディスク保持器は第１挟持部、第２挟持部、緊迫機構及び少なくとも一つの磁石を包含し、該第１挟持部は板体を具備し、該板体は第１面と第２面を具え、該板体中央に第１面の方向に向けて突出する凹溝が設けられ、該凹溝の開口が第２面の方向に向けられ、且つ該板体が第１面より第２面に通じる複数の円弧形長孔を具え、該第２挟持部は第２板体を具え、第２板体は第１面と第２面を具え、該第２板体の第２面に環状凸部が設けられ、該緊迫機構は漸斜面部と緊迫フックを具え、該漸斜面部は第１挟持部の円弧形長孔内に設けられ、該緊迫フックは第２挟持部の環状凸部の外側に設けられ、且つその高さは環状凸部の高さより高く、該磁石は第１挟持部の凹溝に取付られ、前述の第１挟持部の突出する凹溝は保持器シートの開孔を通り第２挟持部の環状凸部中に収容され、緊迫機構の緊迫フックが第１挟持部の円弧形長孔中に収容され、並びに漸斜面部に沿ってある角度回転し、緊迫フックが漸斜面部上を緊迫し、保持器シートが強固に且つ緊密に第１挟持部の板体と第２挟持部の第２板体の間に挟持される、上記光ディスク保持器と、
積載機構であって、本発明の以上の部品が取り付けられる、上記積載機構と、
を包含したことを特徴とする、光ディスクドライブ装置。
【請求項２】
請求項１記載の光ディスクドライブ装置において、該水平調整機構が、
第１立柱であって、該シャーシ上に設けられ、ネジ孔を具えた、上記第１立柱と、
第２立柱であって、該シャーシ上に設けられ、ネジ孔を具えた、上記第２立柱と、
第３立柱であって、該シャーシ上に設けられ、ネジ孔を具え、該第１、第２立柱の高さより高く、且つ第１、第２、第３立柱が三角状を呈するように該シャーシ上に立設された、上記第３立柱と、
固定ボルトであって、前記固定板を通った後に該第３立柱にねじ込まれる、上記固定ボルトと、
第１調整ボルトであって、該固定板を通った後に該第１立柱にねじ込まれ、且つ該固定板と該第１立柱の間で第１バネに通される、上記第１調整ボルトと、
第２調整ボルトであって、該固定板を通った後に該第２立柱にねじ込まれ、且つ該固定板と該第２立柱の間で第２バネに通される、上記第２調整ボルトと、
を包含したことを特徴とする、光ディスクドライブ装置。
【請求項３】
請求項１記載の光ディスクドライブ装置において、該第１挟持部の円弧形長孔の末端に制限凸部が設けられたことを特徴とする、光ディスクドライブ装置。
【発明の詳細な説明】
【技術分野】
【０００１】
本発明は一種の光ディスクドライブ装置に係り、特に、組立、調整が容易で機構が安定している光ディスクドライブ装置に関する。
【背景技術】
【０００２】
現在の光ディスクドライブ装置は、スピンドルモータを利用して光ディスクを駆動して回転させ、並びにモータと伝動機構を利用して光ピックアップを駆動して移動させ、順調に光ディスクの信号を読み取らせる。このような光ディスクドライブ装置は以下のような問題を有している。
１．伝統的な伝動機構中、そのスクリュー及びラックに間隙が発生し得て、噛み合わせが不良となり、伝動機構の損耗を形成し、且つ機械運転中に騒音が発生し、伝動機構の噛み合わせが不良となり、さらには光ディスク読取の品質に影響が生じ得る。
２．光ピックアップの発射するレーザービームの理想の角度は９０度の垂直角であり、その許容誤差範囲は１０度程度であり、光ディスクドライブ装置の生産組立時に、機構の問題により、光ピックアップと光ディスクの角度を前述の許容範囲内に維持できず、このため光ピックアップの角度を提供しなければならない。ただし、光ピックアップは一対のガイドシャフト上をスライドする機構であり、ゆえに一般にはガイドシャフトの水平角度を調整するが、その調整機構の部品は比較的多く且つ調整に長い時間がかかり、量産時間及びコストもそのために高くなる。
３．周知の光ディスクドライブ装置の光ディスク保持器は、機構設計の問題により、製造工程及び組立後にぐらつきを発生しやすく、光ディスクの挟持不安定を形成して偏心の問題を有し、光ピックアップの光ディスクに対する読取品質が不良となる。
【発明の開示】
【発明が解決しようとする課題】
【０００３】
本発明は伝動及び補償機構を具えた駆動装置を具えた光ディスクドライブ装置を提供し、光ディスクドライブ装置の光ピックアップの移動中に動力伝動機構のゆるみの問題を有さないようにする。
【０００４】
本発明はまた、緊迫機構を具えた光ディスク保持器を具えた光ディスクドライブ装置を提供し、光ディスクの挟持位置決めを正確に行なえるようにする。
【０００５】
本発明はさらに、スピンドルモータ水平調整機構を具えた光ディスクドライブ装置を提供し、このような機構を通して、光ディスクと光ピックアップの水平調整を簡単として時間を節約できるようにする。
【課題を解決するための手段】
【０００６】
請求項１の発明は、光ディスクドライブ装置において、
光ピックアップであって、駆動装置の駆動を受け、且つスライド自在にガイドシャフト上に設置され、該駆動装置が駆動モータとモータと光ピックアップを連結する伝動及び補償機構を具え、該伝動及び補償機構がスクリュー及びラック機構を具え、そのうち、該スクリューはモータの出力に接続され並びにモータの駆動を受けて回転し、該ラック機構は光ピックアップの一側に固定され、それはラックシート、スクリューに対向し且つスクリューと径方向に対応するラックフレームを具え、該ラックフレームにスクリューと噛み合う軸方向ラックが横設され、且つ該ラックフレーム及びラックが弾性を具えた材料により一体成型された、上記光ピックアップと、
スピンドルモータであって、光ディスクを駆動する動力源とされ、該スピンドルモータが固定板を具備する、上記スピンドルモータと、
シャーシであって、前述の光ピックアップ、スピンドルモータ及びその装置が取付られ、且つ該シャーシはレバー上に取付られる、上記シャーシと、
水平調整機構であって、前述のシャーシと固定板の間に設置され、スピンドルモータ上の光ディスクの光ピックアップに対する角度を調整する、上記水平調整機構と、
トレイ装置であって、トレイと、該トレイを駆動して移動させる積載モータと、トレイと積載モータを連結する伝動機構を包含し、該トレイがモータの駆動を受けて積載機構の内外で移動する、上記トレイ装置と、
光ディスク保持器であって、スピンドルモータに対応し保持器シート上に設置され、並びに保持器シートを利用して積載機構に固定され、該光ディスク保持器は第１挟持部、第２挟持部、緊迫機構及び少なくとも一つの磁石を包含し、該第１挟持部は板体を具備し、該板体は第１面と第２面を具え、該板体中央に第１面の方向に向けて突出する凹溝が設けられ、該凹溝の開口が第２面の方向に向けられ、且つ該板体が第１面より第２面に通じる複数の円弧形長孔を具え、該第２挟持部は第２板体を具え、第２板体は第１面と第２面を具え、該第２板体の第２面に環状凸部が設けられ、該緊迫機構は漸斜面部と緊迫フックを具え、該漸斜面部は第１挟持部の円弧形長孔内に設けられ、該緊迫フックは第２挟持部の環状凸部の外側に設けられ、且つその高さは環状凸部の高さより高く、該磁石は第１挟持部の凹溝に取付られ、前述の第１挟持部の突出する凹溝は保持器シートの開孔を通り第２挟持部の環状凸部中に収容され、緊迫機構の緊迫フックが第１挟持部の円弧形長孔中に収容され、並びに漸斜面部に沿ってある角度回転し、緊迫フックが漸斜面部上を緊迫し、保持器シートが強固に且つ緊密に第１挟持部の板体と第２挟持部の第２板体の間に挟持される、上記光ディスク保持器と、
積載機構であって、本発明の以上の部品が取り付けられる、上記積載機構と、
を包含したことを特徴とする、光ディスクドライブ装置としている。
請求項２の発明は、請求項１記載の光ディスクドライブ装置において、該水平調整機構が、
第１立柱であって、該シャーシ上に設けられ、ネジ孔を具えた、上記第１立柱と、
第２立柱であって、該シャーシ上に設けられ、ネジ孔を具えた、上記第２立柱と、
第３立柱であって、該シャーシ上に設けられ、ネジ孔を具え、該第１、第２立柱の高さより高く、且つ第１、第２、第３立柱が三角状を呈するように該シャーシ上に立設された、上記第３立柱と、
固定ボルトであって、前記固定板を通った後に該第３立柱にねじ込まれる、上記固定ボルトと、
第１調整ボルトであって、該固定板を通った後に該第１立柱にねじ込まれ、且つ該固定板と該第１立柱の間で第１バネに通される、上記第１調整ボルトと、
第２調整ボルトであって、該固定板を通った後に該第２立柱にねじ込まれ、且つ該固定板と該第２立柱の間で第２バネに通される、上記第２調整ボルトと、
を包含したことを特徴とする、光ディスクドライブ装置としている。
請求項３の発明は、請求項１記載の光ディスクドライブ装置において、該第１挟持部の円弧形長孔の末端に制限凸部が設けられたことを特徴とする、光ディスクドライブ装置としている。
【発明の効果】
【０００７】
従来の技術と比較すると、本発明の光ディスクドライブ装置は伝動機構が緊密で、光ディスクの挟持、位置決めが正確で、光ディスクと光ピックアップの水平調整が簡単、快速であり、ゆえに本発明の光ディスクドライブ装置は光ディスクに対する信号読取品質が良好で、並びに量産に適している。
【発明を実施するための最良の形態】
【０００８】
本発明の光ディスクドライブ装置は、
光ピックアップであって、駆動装置の駆動を受け、且つスライド自在にガイドシャフト上に設置され、該駆動装置が駆動モータとモータと光ピックアップを連結する伝動及び補償機構を具え、該伝動及び補償機構がスクリュー及びラック機構を具え、そのうち、該スクリューはモータの出力に接続され並びにモータの駆動を受けて回転し、該ラック機構は光ピックアップの一側に固定され、それはラックシート、スクリューに対向し且つスクリューと径方向に対応するラックフレームを具え、該ラックフレームにスクリューと噛み合う軸方向ラックが横設され、且つ該ラックフレーム及びラックが弾性を具えた材料により一体成型された、上記光ピックアップと、
スピンドルモータであって、光ディスクを駆動する動力源とされ、該スピンドルモータが固定板を具備する、上記スピンドルモータと、
シャーシであって、前述の光ピックアップ、スピンドルモータ及びその装置が取付られ、且つ該シャーシはレバー上に取付られる、上記シャーシと、
水平調整機構であって、前述のシャーシと固定板の間に設置され、スピンドルモータ上の光ディスクの光ピックアップに対する角度を調整する、上記水平調整機構と、
トレイ装置であって、トレイと、該トレイを駆動して移動させる積載モータと、トレイと積載モータを連結する伝動機構を包含し、該トレイがモータの駆動を受けて積載機構の内外で移動する、上記トレイ装置と、
光ディスク保持器であって、スピンドルモータに対応し保持器シート上に設置され、並びに保持器シートを利用して積載機構に固定され、該光ディスク保持器は第１挟持部、第２挟持部、緊迫機構及び少なくとも一つの磁石を包含し、該第１挟持部は板体を具備し、該板体は第１面と第２面を具え、該板体中央に第１面の方向に向けて突出する凹溝が設けられ、該凹溝の開口が第２面の方向に向けられ、且つ該板体が第１面より第２面に通じる複数の円弧形長孔を具え、該第２挟持部は第２板体を具え、第２板体は第１面と第２面を具え、該第２板体の第２面に環状凸部が設けられ、該緊迫機構は漸斜面部と緊迫フックを具え、該漸斜面部は第１挟持部の円弧形長孔内に設けられ、該緊迫フックは第２挟持部の環状凸部の外側に設けられ、且つその高さは環状凸部の高さより高く、該磁石は第１挟持部の凹溝に取付られ、前述の第１挟持部の突出する凹溝は保持器シートの開孔を通り第２挟持部の環状凸部中に収容され、緊迫機構の緊迫フックが第１挟持部の円弧形長孔中に収容され、並びに漸斜面部に沿ってある角度回転し、緊迫フックが漸斜面部上を緊迫し、保持器シートが強固に且つ緊密に第１挟持部の板体と第２挟持部の第２板体の間に挟持される、上記光ディスク保持器と、
積載機構であって、本発明の以上の部品が取り付けられる、上記積載機構と、
を包含する。
【実施例１】
【０００９】
図１、２に示されるように、本発明の好ましい実施例にあって、光ディスクドライブ装置は、光ピックアップ１１、スピンドルモータ２１、シャーシ３１、水平調整機構４１、トレイ装置５１、光ディスク保持器６１、積載機構７１を包含する。
【００１０】
図３から図４に示されるように、本発明の光ピックアップ１１は駆動装置１２の駆動を受け、且つスライド自在に一組のガイドシャフト１３上に設置され、該駆動装置１２は駆動モータ１４と該駆動モータ１４と光ピックアップ１１を連結する伝動及び補償機構１５を具え、該伝動及び補償機構１５はスクリュー１５１及びラック機構１５２を具え、そのうち、該スクリュー１５１は駆動モータ１４の出力に接続され並びに駆動モータ１４の駆動を受けて回転し、該ラック機構１５２は光ピックアップ１１の一側に固定され、それはラックシート１５３、スクリュー１５１に対向し且つスクリュー１５１と径方向で対応するラックフレーム１５４を具え、該ラックフレーム１５４にスクリュー１５１と噛み合う軸方向ラック１５５が横設され、且つ該ラックフレーム１５４及びラック１５５が弾性を具えた材料により一体成型され、並びにラックシート１５３とラック１５５間にバネ１５６が設けられている。
【００１１】
図２から図３に示されるように、本発明のスピンドルモータ２１は光ディスクを駆動する動力源とされ、該スピンドルモータ２１は固定板２２を具備し、固定板２２を利用してスピンドルモータ２１がシャーシ３１上に固定される。
【００１２】
図２から図３に示されるように、本発明のシャーシ３１には、前述の光ピックアップ１１、スピンドルモータ２１及びその装置が取付られ、且つ該シャーシ３１はレバー３２に取付られる。
【００１３】
図３、５〜図７に示されるように、本発明の水平調整機構４１は、前述のシャーシ３１と固定板２２の間に設置され、スピンドルモータ２１上の光ディスク８１の光ピックアップ１１に対する角度を調整する。該水平調整機構４１は、第１立柱４２、第２立柱４３、第３立柱４４、第１調整ボルト４５、第２調整ボルト４６、及び固定ボルト４７を包含する。該第１、２、３立柱４２、４３、４４は三角状を呈するようにシャーシ３１上に立設され、且つ各自がネジ孔４２１、４３１、４４１を具え、そのうち、該第３立柱４４の高さは第１、第２立柱４２、４３の高さより高い。前述の固定ボルト４７により固定板２２が第３立柱４４に螺設され、第１調整ボルト４５は固定板２２を通った後に第１立柱４２にねじ込まれ、並びに固定板２２と第１立柱４２の間で第１バネ４８に通され、第２調整ボルト４６は固定板２２を通った後に第２立柱４３にねじ込まれ、並びに固定板２２と第２立柱４３の間で第２バネ４９に通される。
【００１４】
図１、２に示されるように、本発明のトレイ装置５１は周知のものと同様、トレイ５２、トレイ５２を駆動し移動させる積載モータ５３、及びトレイ５２及び積載モータ５３を連結する伝動機構５４を包含し、該トレイ５２が積載モータ５３の駆動を受けて積載機構７１の内外で移動する。このほか、本発明はさらに連動機構５５を包含し、レバー３２に連結し、トレイ５２の内、外移動により、レバー３２の上、下揺動が制御され、シャーシ３１がこれにより上、下に揺動する。
【００１５】
図１〜２、図７〜１４に示されるように、本発明の光ディスク保持器６１は、スピンドルモータ２１に対応し、保持器シート６２上に設置され、並びに保持器シート６２を利用して積載機構７１に固定される。該光ディスク保持器６１は第１挟持部６３、第２挟持部６４、緊迫機構６５及び少なくとも一つの磁石６６を包含する。該第１挟持部６３は板体６３１を具備し、該板体６３１は第１面６３２と第２面６３３を具え、該板体６３１中央に第１面６３２の方向に向けて突出する凹溝６３４が設けられ、該凹溝６３４の開口が第２面６３３の方向に向けられ、該板体６３１が第１面６３２より第２面６３３に通じる複数の円弧形長孔６３５を具えている。該第２挟持部６４は第２板体６４１を具え、第２板体６４１は第１面６４２と第２面６４３を具え、該第２板体６４１の第２面６４３に環状凸部６４４が設けられている。該緊迫機構６５は漸斜面部６４５と緊迫フック６４６を具え、該漸斜面部６４５は第１挟持部６３の円弧形長孔６３５内に設けられ、該緊迫フック６４６は第２挟持部６４の環状凸部６４４の外側に設けられ、且つその高さは環状凸部６４４の高さより高い。該磁石６６は第１挟持部６３の凹溝６３４に取付られ、前述の第１挟持部６３の突出する凹溝６３４は保持器シート６２の開孔６２１を通り第２挟持部６４の環状凸部６４４中に収容され、該緊迫機構６５の緊迫フック６４６が第１挟持部６３の円弧形長孔６３５中に収容され、並びに漸斜面部６４５に沿ってある角度回転し、緊迫フック６４６が漸斜面部６４５上を緊迫し、保持器シート６２が強固に且つ緊密に第１挟持部６３の板体と第２挟持部６４の第２板体の間に挟持される。
【００１６】
このほか、前述の凹溝６３４内に若干の制限部品６３６が設けられ、磁石６６は制限部品６３６により凹溝６３４内に固定される。
【００１７】
さらに、円弧形長孔６３５の末端に制限凸部６３７があり、緊迫フック６４６を制限並びに固定する。
【００１８】
図１〜図２に示されるように、本発明の積載機構７１に本願の以上の全ての部品が取付られる。
【００１９】
本発明の構想に基づき、実施例中において、本発明は緊迫機構６５を利用して光ディスク保持器６１の第１挟持部６３及び第２挟持部６４が緊密に保持器シート６２に結合され、ゆえに光ディスク保持器６１が光ディスク８１を挟持する時、非常に強固である。且つ本発明は伝動及び補償機構１５を利用して正確にモータの動力を光ピックアップ１１に伝送し、伝動機構のぐらつきによる信号読取不良及びひずみの問題を発生しない。このほか、本発明は水平調整機構４１を利用してスピンドルモータ２１上の光ディスク８１の光ピックアップ１１に対する角度を調整し、簡単快速で操作が容易な長所を有し、量産に適している。
【図面の簡単な説明】
【００２０】
【図１】本発明の光ディスクドライブ装置の好ましい実施例の立体図である。
【図２】本発明の光ディスクドライブ装置の好ましい実施例の分解図である。
【図３】本発明の光ディスクドライブ装置中の光ピックアップ、スピンドルモータ、伝動及び補償機構がシャーシ上に組み合わされた立体図である。
【図４】本発明の光ディスクドライブ装置の好ましい実施例中のラックシートに関する立体図である。
【図５】本発明のスピンドルモータ、水平調整機構及びシャーシに関する分解図である。
【図６】図３の右側視図である。
【図７】本発明の光ディスクドライブ装置の好ましい実施例中の、光ピックアップ、スピンドルモータ、光ディスク保持器と光ディスク間の組合せ側面図である。
【図８】本発明の光ディスクドライブ装置中の光ディスク保持器と磁石に関する分解図である。
【図９】本発明の光ディスクドライブ装置中の光ディスク保持器に関する立体組合せ図である。
【図１０】本発明の光ディスクドライブ装置中の光ディスク保持器の結合前の平面図である。
【図１１】本発明の光ディスクドライブ装置中の光ディスク保持器の結合後の平面図である。
【図１２】図１０の部分断面図である。
【図１３】図１１の部分断面図である。
【図１４】図１１のＡ−Ａ断面図である。
【符号の説明】
【００２１】
１１  光ピックアップ                ６１  光ディスク保持器
１２  駆動装置                      ６２  保持器シート
１３  ガイドシャフト                ６３  第１挟持部
１４  駆動モータ                    ６４  第２挟持部
１５  伝動及び補償機構              ６５  緊迫機構
２１  スピンドルモータ              ６６  磁石
２２  固定板                        １５１  スクリュー
３１  シャーシ                      １５２  ラック機構
３２  レバー                        １５３  ラックシート
４１  水平調整機構                  １５４  ラックフレーム
４２  第１立柱                      １５６  バネ
４３  第２立柱                      ６３１  板体
４４  第３立柱                      ６３２  第１面
４５  第１調整ボルト                ６３３  第２面
４６  第２調整ボルト                ６３４  凹溝
４７  固定ボルト                    ６３５  円弧形長孔
４８  第１バネ                      ６３６  制限部品
４９  第２バネ                      ６３７  制限凸部
５１  トレイ装置                    ６２１  開孔
５２  トレイ                        ６４２  第１面
５３  積載モータ                    ６４３  第２面
５４  伝動機構                      ６４４  環状凸部
５５  連動機構                      ６４５  漸斜面部
７１  積載機構                      ６４６  緊迫フック
８１  光ディスク
【図１】
2009048708.tif 000003
【図２】
2009048708.tif 000004
【図３】
2009048708.tif 000005
【図４】
2009048708.tif 000006
【図５】
2009048708.tif 000007
【図６】
2009048708.tif 000008
【図７】
2009048708.tif 000009
【図８】
2009048708.tif 000010
【図９】
2009048708.tif 000011
【図１０】
2009048708.tif 000012
【図１１】
2009048708.tif 000013
【図１２】
2009048708.tif 000014
【図１３】
2009048708.tif 000015
【図１４】
2009048708.tif 000016